(57)【要約】【課題】作業対象面を掻いた際に、該作業対象面上の小石等が外向きに飛び出ることを緩和する除草用回転刃を提供する。【解決手段】除草用回転刃100は、刈払機110に取り付けられ、該刈払機110の駆動部によって回転軸線Ｌ周りに回転駆動される。除草用回転刃100は、回転軸線Ｌと直交する面内に延在するように形成され、下面が作業対象面に対向する刃部3を形成した板状の回転刃本体1と、回転軸線Ｌと直交する面内に延在して円板状に形成された円板部20と、該円板部20の外周縁から下向きに延びた外周部21とを有し、該回転刃本体1を上方から覆うように配置された保護カバー2とを備えている。回転刃本体1と保護カバー2は回転軸線Ｌ周りに一体に回転し、外周部21にて刃部3の先端部に対応する箇所には、保護カバー2内への雑草の進入を許す切欠き22が開設されている。【選択図】  図５
0003194939.tif 000002
【実用新案登録請求の範囲】
【請求項１】
刈払機に取り付けられ、該刈払機の駆動部によって回転軸線周りに回転駆動される除草用回転刃であって、
前記回転軸線と直交する面内に延在するように形成され、下面に作業対象面に対向する刃部を形成した板状の回転刃本体と、
前記回転軸線と直交する面内に延在して円板状に形成された円板部と、前記円板部の外周縁から下向きに延びた外周部とを有し、該回転刃本体を上方から覆うように配置された保護カバーとを備え、 
前記回転刃本体と保護カバーは回転軸線周りに一体に回転し、 
前記外周部にて前記刃部の先端部に対応する箇所には、前記保護カバー内への雑草の進入を許す切欠きが開設された、除草用回転刃。  
【請求項２】
前記保護カバーは円盤状に形成されて、前記回転刃本体は前記保護カバーの中心部に取り付けられる基部と、該基部から放射状に延びて各先端部に前記刃部を形成した複数の脚片とを備え、各脚片は 前記保護カバーの半径方向外側に行くに従い円周方向に偏倚するように 湾曲した形状に形成されている、請求項１に記載の除草用回転刃。 
【請求項３】
前記刃部の下面は、前記外周部の下端よりも、前記回転軸線に沿って下方に位置する、請求項１又は２に記載の除草用回転刃。
【請求項４】
前記刃部の側縁には、前記切欠きを通って前記保護カバー内に進入する雑草を切断する切り刃が形成されている、請求項１乃至３の何れかに記載の除草用回転刃。
【考案の詳細な説明】
【技術分野】
【０００１】
本考案は、刈払機に装着して用いられる除草用回転刃に関する。
【背景技術】
【０００２】
従来から、刈払機に装着して用いられる除草用回転刃が知られている(特許文献１参照)。これは、本考案の考案者によって以前に提案されたものであり、回転刃本体と該回転刃本体を覆う保護カバーとを備えて構成される。回転刃本体は、板状の部材から構成されて、該回転刃本体の両端部には、地面に対向する削り刃が形成されている。保護カバーは倒置した皿状に形成されて、回転刃本体は保護カバーの下端よりも下側に位置する。除草用回転刃の使用時には、回転刃本体を回転させる。削り刃が面状の軌跡を描いて地面、例えば畑の作業対象面を掻く。これにより、削り刃が作業対象面と面接触するから、削り刃と作業対象面との接触面積が広く設けることができ、除草作業の作業効率を向上させている。
【先行技術文献】
【特許文献】
【０００３】
【特許文献１】実用新案登録第３１８７２３７号
【考案の概要】
【考案が解決しようとする課題】
【０００４】
従前の除草用回転刃を装着した刈払機を用いて、畑の作業対象面を掻く除草作業を行った。その結果、削り刃が畑の作業対象面を掻いた際に、作業対象面上の障害物である小石等を保護カバーの下側から外向きに跳ね飛ばしてしまうとの改善すべき点があることを見出した。
本考案の目的は、作業対象面を掻いた際に、該作業対象面上の小石等が外向きに飛び出ることを緩和する除草用回転刃を提供することにある。
【課題を解決するための手段】
【０００５】
本考案に係る除草用回転刃は、刈払機に取り付けられ、該刈払機の駆動部によって回転軸線周りに回転駆動され、
前記回転軸線と直交する面内に延在するように形成され、下面に作業対象面に対向する刃部を形成した板状の回転刃本体と、
前記回転軸線と直交する面内に延在して円板状に形成された円板部と、前記円板部の外周縁から下向きに延びた外周部とを有し、該回転刃本体を上方から覆うように配置された保護カバーと を備え、 
前記回転刃本体と保護カバーは回転軸線周りに一体に回転し、 
前記外周部にて前記刃部の先端部に対応する箇所には、前記保護カバー内への雑草の進入を許す切欠きが開設されている。
【考案の効果】
【０００６】
除草時には、回転刃本体と保護カバーとを一体に回転させながら、作業対象面上を雑草が生えている場所に向かって側方に動かす。雑草は切欠きを通って保護カバー内に入り、回転刃本体によって除草される。このとき、回転刃本体が作業対象面上の小石等を外向きに跳ね飛ばすが、切欠きは保護カバーの刃部の先端部に対応する箇所に設けられているだけであるから、跳ね飛ばされた小石等は切欠き以外の保護カバーの内側に当たる。これにより、作業対象面上の小石等が除草用回転刃の外側に飛び出ることが緩和される。
【図面の簡単な説明】
【０００７】
【図１】除草用回転刃を取り付けた刈払機の先端部を示す斜視図である。
【図２】除草用回転刃を裏から見た斜視図である。
【図３】保護カバーと回転刃本体とを分解して示す下面図である。
【図４】回転刃本体を下側から見た斜視図である。
【図５】図１の刈払機をＡ-Ａ線を含む面にて破断し、矢視した断面図である。
【図６】図５の回転刃本体をＢ-Ｂ線を含む面にて破断し、矢視した断面図である。
【考案を実施するための形態】
【０００８】
以下、本考案の実施の形態について、図面を参照しながら説明する。尚、本実施の形態によって本考案が限定されるものではない。また、以下では、全ての図を通じて、同一又は相当する要素には同一の参照符号を付して、その重複する説明を省略する。また、鉛直方向を上下方向とし、除草用回転刃１００は作業対象面である畑に対して上方に位置しているとする。
【０００９】
図１は、本考案の実施の形態に係る除草用回転刃１００を取り付けた刈払機１１０の先端部を示す斜視図であり、図２は、除草用回転刃１００を裏から見た斜視図である。刈払機１１０は、基端部に駆動部である原動機(図示せず)が設けられ、先端部にギアケース７が設けられている。原動機とギアケース７とは、中空の筒体７０にて連結されている。
除草用回転刃１００はギアケース７に上面側覆い部材８を介して取り付けられる。図２に示すように、除草用回転刃１００は、円盤状の保護カバー２と、該保護カバー２によって上方から覆われる回転刃本体１とを備えて構成される。該保護カバー２と回転刃本体１とは、ギアケース７内を鉛直方向に延びた回転軸線Ｌを中心として一体に回転する。以下の記載では、回転軸線Ｌに沿って延びた方向を第１方向、第１方向に直交し水平面内に位置する方向を第２方向とする。
保護カバー２は軽量化に鑑みて樹脂製であって、回転軸線Ｌと直交する面内にて延在して円板状に形成された円板部２０と、該円板部２０の外周縁から下向きに延びた外周部２１を一体に備えて、倒置した皿状に形成されている。外周部２１は回転刃本体１の外側に位置しており、該外周部２１にて回転刃本体１の外周部に対向する箇所には、切欠き２２が開設されている。
【００１０】
図３は、保護カバー２と回転刃本体１とを分解して示す下面図であり、図４は、回転刃本体１を下側から見た斜視図である。回転刃本体１は、例えばばね鋼材等の粘りを有する鋼板から形成されて、保護カバー２の中心部に合わさる基部１０と、該基部１０から放射状に延びて下向きに折曲された３本の脚片１１と、各脚片１１の先端部下面に形成された刃部３とを備える。３本の脚片１１は互いに等間隔に設けられている。回転刃本体１をばね鋼材で形成することにより、除草作業時に回転刃本体１が小石等と接触し、刃部３が欠けることを防止することができる。
該刃部３は第２方向に沿って複数配置された断面三角形状の削り刃３０を備え、回転刃本体１の回転側に位置する該刃部３の一側部には鋭利な切り刃３１が形成されている(図６参照)。基部１０の中心には第１中心孔１２及び該第１中心孔１２の周りに複数設けられた係合孔１３が開設されている。脚片１１は保護カバー２の半径方向外側に行くに従い円周方向に偏倚するように 円弧状に湾曲した形状、例えば放物線状に形成されている。換言すれば、脚片１１は回転方向に膨らみを向けるように円弧状に湾曲した形状に形成されている。
【００１１】
保護カバー２の円板部２０の下面中心部には、凹部２３が設けられ、該凹部２３の中心部に第２中心孔２４と該第２中心孔２４の回りに配置された複数の係合突起２５が設けられている。該第２中心孔２４は前記の回転刃本体１の第１中心孔１２に合わさり、係合突起２５は回転刃本体１の係合孔１３に嵌まる。凹部２３の周縁形状は、基部１０の外形形状に合わせて形成されて、基部１０は外周縁は凹部２３の内側に位置するように嵌まり、係合突起２５は対応する係合孔１３に嵌まる。これにより、回転刃本体１の保護カバー２に対する回転方向の位置決めがされる。
【００１２】
図５は、図１の刈払機１１０をＡ-Ａ線を含む面にて破断し、矢視した断面図である。上面側覆い部材８の下面からは、孔８１を開設した突起８０が下向きに突出して、該突起８０は保護カバー２の第２中心孔２４に嵌まる。保護カバー２の第２中心孔２４と回転刃本体１の第１中心孔１２とが合わさった状態にて、回転刃本体１の下方からは下面側覆い部材９が取り付けられる。該下面側覆い部材９は、大径の蓋体９０から小径の嵌合軸９１を上向きに突出して構成され、蓋体９０と嵌合軸９１の中心部を通るように貫通孔９２が開設されている。嵌合軸９１は回転刃本体１の第１中心孔１２に嵌まる。蓋体９０の上面９３が回転刃本体１の基部１０を受けている。
【００１３】
前記ギアケース７内には、原動機からの駆動力を受けて回転する中空の駆動軸７１が設けられ、下面側覆い部材９の下方からはワッシャ６０を介してボルト６が貫通孔９２を通って嵌まる。該ボルト６の先端部は駆動軸７１の中空部７２に螺合する。ボルト６は下面側覆い部材９を介して保護カバー２と回転刃本体１とを締結し、駆動軸７１に螺合して回転するから、刈払機１１０の使用時には保護カバー２と回転刃本体１とは一体に回転する。
回転刃本体１の削り刃３０は保護カバー２の外周部２１の下端及び下面側覆い部材９の蓋体９０よりも下側に位置している。これにより除草作業時に削り刃３０と畑の作業対象面とを接触させる際に、外周部２１及び下面側覆い部材９が障害となることを防ぐ。この結果、削り刃３０と畑の作業対象面とを確実に接触させることが出来る。尚、削り刃３０は下面側覆い部材９の蓋体９０の下面と同一面内に位置してもよい。また、保護カバー２と回転刃本体１とは、ボルト６以外の手段、例えば接着等で締結されてもよい。
外周部２１の前記切欠き２２は刃部３の先端部に対応して、外周部２１の３箇所に開設されている。除草作業時に畑の作業対象面に生えた雑草は切欠き２２を通って、保護カバー２内に進入する。
【００１４】
(除草用回転刃の使用時)
次に、除草用回転刃１００を除草作業に使用する際の動作について説明する。
まず、原動機の駆動力によって除草用回転刃１００を回転させる。そして、除草用回転刃１００が水平姿勢となるように刈払機１１０を支持する。
次に、除草用回転刃１００の刃部３の削り刃３０を畑の作業対象面に当てる。削り刃３０が作業対象面を掻き、該作業対象面に生えている比較的背丈の低い雑草を除草することができる。更に、削り刃３０が作業対象面を掻き、雑草の根の除草を行うので、除草作業後に再度雑草を生えにくくすることができる。削り刃３０は板状の刃部３の下面に形成されているので、削り刃３０が面状の軌跡を描いて作業対象面を掻く。従って、削り刃３０と作業対象面との接触面積を拡げることができ、除草作業の作業効率を向上させることができる。
また、刃部３の切り刃３１が雑草を切断し、これによっても除草することができる。
【００１５】
このとき、除草用回転刃１００の削り刃３０は地面を掻くために、除草作業時に回転する回転刃本体１の脚片１１によって小石等が上方に跳ね飛ばされることがある。しかし、保護カバー２は３つの脚片１１を上から覆うように設けられているので、保護カバー２はこれらの小石等が使用者に向かって飛んで当たることを阻止する。よって、使用者は除草用回転刃１００をより安全に使用することができる。
また、小石等を跳ね飛ばす脚片１１の側縁は、保護カバー２の半径方向に対して円弧形を描くように形成されている。これにより、脚片１１の側縁には逃げが形成されることとなり、脚片１１の側縁に小石等が衝突しても、小石等が跳ね飛ばされる際に加えられる衝撃力が分散される。即ち、小石等に加わる衝撃力が緩和されるから、回転刃本体１の損傷を軽減し、保護カバー２に当たる衝撃も緩和される。従って、刈払機１１０に加わる負荷が軽減する。
【００１６】
作業対象面の雑草を掻いた後に、使用者は回転刃本体１と保護カバー２とを一体に回転させながら、刈払機１１０及び除草用回転刃１００を水平方向に動かす。保護カバー２が樹脂製で軽量化を図っているから、刈払機１１０を楽に水平方向に動かすことが出来る。雑草は切欠き２２を通って保護カバー２内に入り、回転刃本体１の削り刃３０によって掻かれ、切り刃３１によって切断される。
このとき、回転刃本体１が作業対象面上の小石等を外向きに跳ね飛ばすが、切欠き２２は外周部２１の刃部３の先端部に対応する箇所に設けられているだけであるから、跳ね飛ばされた小石等は切欠き２２以外の保護カバー２の内側に当たる。これにより、作業対象面上の小石等が除草用回転刃１００の外側に飛び出ることが緩和される。
【００１７】
刈払機１１０を水平方向に動かした際に、除草用回転刃１００と雑草よりも背の高い作物とが近づくと、保護カバー２の外周部２１と作物とが接触する。刃部３と作物との接近を保護カバー２の外周部２１が規制する。これによって、回転する刃部３が作物を傷つけることを防止することができる。即ち、雑草のみを掻き切断することができる。除草作業が終了すれば、原動機の駆動を停止し、除草用回転刃１００の回転を停止させる。
【００１８】
本実施形態に係る考案では、回転刃本体１は刃部３を設けた脚片１１を３つ設けているが、脚片１１の数は３つに限定されない。しかし、脚片１１の数が多い場合には、各脚片１１の幅が狭くなって脚片１１自体の強度が弱くなるおそれがあるから、脚片１１の数が多すぎることは好ましくない。脚片１１の数を３つとし、且つ脚片１１を等間隔に設けた場合には、除草時の作業効率が良く、空気抵抗等からくる振動も軽減される。また、回転刃本体１の重心が回転軸線Ｌ上に位置するから、回転刃本体１の回転音も軽減され、回転刃本体１の回転が安定するといった効果を奏する。
【００１９】
本考案に係る除草用回転刃１００は、以下の効果を有する。
１．除草時には、回転刃本体１が作業対象面上の小石等を外向きに跳ね飛ばすが、切欠き２２は保護カバー２の刃部３の先端部に対応する箇所に設けられているだけであるから、跳ね飛ばされた小石等は切欠き２２以外の保護カバー２の内側に当たる。これにより、作業対象面上の小石等が除草用回転刃１００の外側に飛び出ることが緩和される。
２．小石等を跳ね飛ばす脚片１１の側縁は、保護カバー２の半径方向に対して円弧形を描くように形成されている。これにより、脚片１１の側縁には逃げが形成されることとなり、脚片１１の側縁に小石等が衝突しても、小石等が跳ね飛ばされる際に加えられる衝撃力が分散される。即ち、小石等に加わる衝撃力が緩和されるから、回転刃本体１の損傷を軽減し、保護カバー２に当たる衝撃も緩和される。従って、刈払機１１０に加わる負荷が軽減する。
３．削り刃３０は板状の刃部３の下面に形成されているので、削り刃３０が面状の軌跡を描いて作業対象面を掻く。したがって、削り刃３０と作業対象面との接触面積を拡げることができる。従って、除草作業の作業効率を向上させることができる。
【００２０】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００２１】
本考案に係る除草用回転刃は、刈払機に装着される除草用回転刃に用いると有用である。
【符号の説明】
【００２２】
１      回転刃本体
２      保護カバー
３      刃部
１０    基部
１１    脚片
２１    外周部
２２    切欠き
３０    削り刃
３１    切り刃
１００  除草用回転刃
１１０  刈払機
【図１】
0003194939.tif 000003
【図２】
0003194939.tif 000004
【図３】
0003194939.tif 000005
【図４】
0003194939.tif 000006
【図５】
0003194939.tif 000007
【図６】
0003194939.tif 000008